(57)【要約】【課題】従来インクジェット記録装置では、印字と印字の間の非印字期間に最適帯電位相検出処理を実施しており、この処理時間により印字速度が制限されていた。また最適帯電位相検出処理を実施しない場合、インク噴出圧力、周囲温度が変化した場合に印字品質に乱れが発生する可能性があった。【解決手段】非印字期間に最適帯電位相検出処理を実施するかどうかを選択可能とすることにより、高速印字を行うことを可能とし、かつ、最適帯電位相検出処理を実施しないことを選択した場合、インク噴出圧力や周囲温度が変化し帯電位相が最適帯電位相からずれる可能性がある場合にインクジェット記録装置の使用者に知らせることで印字品質の乱れを防止する。【選択図】  図１
2011046139.tif 000002
【特許請求の範囲】
【請求項１】
ノズルとノズルから噴出されたインクを任意の周期ごとに粒子状にするインク粒子作成手段と、ノズルから噴出されるインク噴出の圧力検出手段と、インク粒子に印字情報に基づいた電荷及び、任意の電荷を帯電させる手段と、インク粒子作成周期に対し１／Ｎ相ごとに帯電位相をずらす手段と、各位相ごとの帯電量を検出する手段と、帯電したインク粒子を帯電電荷量に応じて偏向させる手段と、印字が行われない期間にインク粒子にインク粒子作成周期に対し１／Ｎ相ごとに任意の電荷量を帯電させ各位相の帯電量を検出することでインク粒子への最適帯電位相を検出する最適帯電位相出手段と、周囲温度検出手段を有し、インク粒子への帯電位相を最適位相に可変させることができるインクジェット記録装置において、インク粒子への最適帯電位相検出動作の実施の有無が選択可能であることを特徴とするインクジェット記録装置。
【請求項２】
表示装置を備え、インク粒子への最適帯電位相検出処理を実施しないと選択した場合に、インク噴出圧力を監視し、インク噴出圧力が変化した場合に帯電位相が最適帯電位相からずれることによる印字品質の乱れが発生する可能性のあることを前記表示装置に表示することを特徴とする請求項１に記載のインクジェット記録装置。
【請求項３】
表示装置を備え、インク粒子への最適帯電位相検出処理を実施しないと選択した場合に、周囲温度を監視し、周囲温度が変化した場合に帯電位相が最適帯電位相からずれることによる印字品質の乱れが発生する可能性のあることを前記表示装置に表示することを特徴とする請求項１に記載のインクジェット記録装置。
【請求項４】
表示装置を備え、インク粒子への最適帯電位相検出処理を実施しないと選択した場合に、インク噴出圧力と周囲温度を監視し、インク噴出圧力と周囲温度が変化した場合に帯電位相が最適帯電位相からずれることによる印字品質の乱れが発生する可能性のあることを前記表示装置に表示することを特徴とすることを特徴とする請求項１に記載のインクジェット記録装置。
【請求項５】
インク粒子への最適帯電位相検出処理を実施しないと選択した場合でも、印字内容及び印字頻度に応じて自動的に最適帯電位相の検出を行うことを特徴とする請求項１に記載のインクジェット記録装置。
【発明の詳細な説明】
【技術分野】
【０００１】
非印字期間に行う最適帯電位相検出処理の実施の有無を使用者が選択することで、高頻度印字を行うことを可能とし、かつ、インク噴出圧力や周囲温度またはその両方を監視し帯電位相が最適帯電位相からずれる可能性がある場合に使用者に知らせることで印字品質の乱れを防止するインクジェット記録装置のことに関する。
【背景技術】
【０００２】
インクジェット記録装置では、ノズルから噴出されるインクを一定周期で粒子化し、この粒子化される瞬間の最適なタイミングで印字情報に応じた電荷を帯電させ、偏向することで印字を行う。この時、帯電を行うタイミングがずれると印字品質を劣化させる要因となるため、帯電を行う最適タイミングを検出する為に、粒子化周期をＮ相に分け、１／Ｎ相ごとにずらしてインク粒子が偏向しない程度に帯電させ、各々の帯電量から最適な帯電位相の検出を行う。この最適帯電位相の検出は、最適帯電位相のずれがインク噴出圧力、周囲温度などの変化に影響を受けるため、印字と印字の間の非印字期間に行っている。
【０００３】
ここで、インクジェット記録装置の性能を示す一つの指標として印字速度すなわち高頻度印字性能があり、印字速度を上げるための一つの方法として印字と印字の間の非印字期間を短くする方法がある。印字と印字の間の非印字期間では、先に述べたように最適帯電位相の検出やインク粒子へ印加する印字情報に応じた電荷量の算出などの処理を行っており、最適帯電位相の検出処理は印字と印字の間の非印字期間の約半分の時間を占めている。
印字と印字の間の非印字期間に最適帯電位相の検出処理を行うインクジェット記録装置の例としては、特許文献１に示すものがある。
【先行技術文献】
【特許文献】
【０００４】
【特許文献１】特開２００３−２２０７０７
【発明の概要】
【発明が解決しようとする課題】
【０００５】
上記の従来技術では、インクジェット記録装置の印字と印字の間の非印字期間に行う最適帯電位相検出処理の処理時間により、印字速度が制限されていた。
そこで本発明では、インクジェット記録装置の使用者が、インク粒子への最適帯電位相検出処理の実施の有無を選択できるようにし、インクジェット記録装置の使用者がインク粒子への最適帯電位相検出処理を実施しないことを選択した場合は、最適帯電位相の検出処理を実施せず、事前に設定した帯電位相にて印字動作を行うことにより、印字と印字の間の非印字期間を短縮することを目的とする。
また最適帯電位相の検出処理を行わない場合、インク噴出圧力と周囲温度を監視し帯電位相が最適帯電位相からずれる可能性がある場合に、インクジェット記録装置の使用者に知らせることで印字品質の乱れを防止することを目的とする。
【課題を解決するための手段】
【０００６】
上記課題を解決するために本発明は、ノズルとノズルから噴出されたインクを任意の周期ごとに粒子状にするインク粒子作成手段と、ノズルから噴出されるインク噴出の圧力検出手段と、インク粒子に印字情報に基づいた電荷及び、任意の電荷を帯電させる手段と、インク粒子作成周期に対し１／Ｎ相ごとに帯電位相をずらす手段と、各位相ごとの帯電量を検出する手段と、帯電したインク粒子を帯電電荷量に応じて偏向させる手段と、印字が行われない期間にインク粒子にインク粒子作成周期に対し１／Ｎ相ごとに任意の電荷量を帯電させ各位相の帯電量を検出することでインク粒子への最適帯電位相を検出する最適帯電位相出手段と、周囲温度検出手段を有し、インク粒子への帯電位相を最適位相に可変させることができるインクジェット記録装置において、インク粒子への最適帯電位相検出動作の実施の有無が選択可能であるとの構成をとる。
【発明の効果】
【０００７】
本発明によれば、インクジェット記録装置の使用者がインク粒子への最適帯電位相検出処理を実施しないことを選択した場合は、インクジェット記録装置の印字と印字の間の非印字間隔を短縮することができ、最適帯電位相検出処理を行う場合と比べてより高速な印字動作を実施することが可能となる。
【図面の簡単な説明】
【０００８】
【図１】本発明におけるインクジェット記録装置の構成例を示したブロック図である。
【図２】インク粒子に帯電電圧を印加するタイミングと印字文字の印字品質の関係を示す図である。
【図３】位相センサで検出した帯電電圧の波形と位相判定装置で検出した最適帯電位相の関係を示す図である。
【図４】インクジェット記録装置の使用者が最適帯電位相検出の設定を行うための環境設定画面の例を示す図である。
【図５】本発明におけるインクジェット記録装置において使用者が最適帯電位相検出処理を実施することを選択した場合の動作例を示したフローチャートである。
【図６】本発明におけるインクジェット記録装置において使用者が最適帯電位相検出処理を実施しないことを選択した場合の動作例を示したフローチャートである。
【発明を実施するための形態】
【０００９】
以下、図面を参照して本発明におけるインクジェット記録装置の実施の形態を説明する。
【００１０】
本発明におけるインクジェット記録装置の構成及び動作について図１を用いて説明する。図１に、本発明におけるインクジェット記録装置の構成例を示したブロック図を示す。
【００１１】
図１において、制御装置１０１はインクジェット記録装置１００全体の制御を行う装置であり、ＣＰＵ（Ｃｅｎｔｒａｌ  Ｐｒｏｃｅｓｓｉｎｇ  Ｕｎｉｔ）などから構成される。また制御装置１０１はバスを介してプログラム格納装置１０２、メモリ１０３、表示装置１０４、タッチパネル１０５、入力装置１０６、被印字物検知装置１０７、位相判定装置１０８、偏向電圧発生装置１０９、印字用帯電電圧発生装置１１０、位相検出用帯電電圧発生装置１１１、励振電圧発生装置１１２、圧力検出装置１１３、温度検出装置１１４、供給ポンプ１１８、回収ポンプ１２６と接続している。
【００１２】
プログラム格納装置１０２は制御装置１０１において実行されるプログラム、インクジェット記録装置１００を動作させるために必要なデータ及び表示用データをあらかじめ記憶している装置である。
【００１３】
メモリ１０３はプログラム実行領域とデータ記憶領域に分割されて利用される。プログラム実行領域は制御装置１０１により呼び出されたプログラム格納装置１０２に記憶されたプログラムを実行する領域である。データ記憶領域は使用者が作成したデータを記憶する領域である。
【００１４】
表示装置１０４はプログラム格納装置１０２に記憶された表示用データを表示する形式に変換して表示する装置である。使用者は表示装置１０４に表示された画面により、インクジェット記録装置１００の状態などを認識する。
【００１５】
タッチパネル１０５は表示装置１０４に重ねて設置されており、使用者がその表面にタッチした時、タッチした位置に対応した電圧値を出力する装置である。制御装置１０１はこの電圧値を読み取ることにより、タッチされた位置座標を検出する。使用者がタッチパネル１０５を介して表示装置１０４に表示されたアイコンやボタンにタッチすることにより、制御装置１０１はタッチした位置座標より使用者の入力を判定し、対応したプログラムをプログラム格納装置１０２より呼び出して実行する。
【００１６】
入力装置１０６は使用者がインクジェット記録装置１００を操作する際に使用する操作部分であり、インクジェット記録装置１００の電源のオン／オフを切り替える電源ボタン１１５から構成される。
【００１７】
本ブロック図では入力装置として電源ボタンのみを示しているが、これはボタンの数を限定するものではない。また必要に応じて数字や文字を入力するためのキーボードや１０キーを搭載することも可能である。
【００１８】
インクタンク１１６は被印字物１３４への印字に用いるインク１１７を貯蔵するための装置である。インクタンク１１６内のインク１１７は、制御装置１０１からの命令により作動する供給ポンプ１１８で加圧されることにより、インク供給用配
管１１９を通りノズル１２０に供給される。
【００１９】
ノズル１２０はインクタンク１１６より供給されるインク１１７を噴出する装置である。またノズル１２０には電気的信号を機械的信号に変換する圧電素子１２１が取り付けられており、励振電圧発生装置１１２で発生された励振電圧信号を圧電素子１２１に印加することにより、ノズル１２０から噴出されるインク１１７を粒子化し、インク粒子１２２にする。
【００２０】
噴出されたインク粒子１２２は、コの字状の帯電電極１２３の間を通過する。帯電電極１２３には、印字用帯電電圧発生装置１１０で発生された印字する文字情報に対応した帯電電圧、あるいは位相検出用帯電電圧発生装置１１１で発生された最適帯電位相を検出するための帯電電圧が印加される。インク粒子１２２は帯電電極１２３の間を通過する際に印加された帯電電圧により帯電される。
【００２１】
更に帯電電極１２３の間を通過したインク粒子１２２は、偏向電極１２４の間を通過する。偏向電極１２４には、偏向電圧発生装置１０９で発生された帯電されたインク粒子１２２を偏向させるための偏向電圧が印加される。インク粒子１２２は偏向電圧により形成された偏向電界を通過する際に帯電量に応じて偏向され、偏向されたインク粒子１２２は被印字物１３４に印字される。
【００２２】
インク回収口１２５は印字に使用しないインク粒子１２２を回収するためのものである。インク回収口１２５より回収されたインク粒子１２２は、制御装置１０１からの命令により作動する回収ポンプ１２６で加圧されることにより、インク回収用配管１２７を通り、インクタンク１１６に戻される。
【００２３】
インク回収口１２５には位相センサ１２８が取り付けられている。位相センサ１２８は回収したインク粒子１２２の帯電電圧を検出するためのものである。検出された帯電電圧は位相判定装置１０８に送信される。位相判定装置１０８は送信された帯電電圧をあらかじめ決められた閾値電圧と比較してその大小を判定する装置である。またその判定結果に基づき最適帯電位相を検出する。位相判定装置１０８は検出した最適帯電位相を制御装置１０１に送信する。
【００２４】
減圧弁１２９は、インク供給用配管１１９の圧力を調整し、ノズル１２０に一定の圧力でインクを供給する装置である。また供給されるインク圧力は圧力センサ１３０によって計測される。計測されたインク圧力は圧力検出装置１１３に送信され、更に圧力検出装置１１３から制御装置１０１に送信される。
【００２５】
温度センサ１３１は周囲の温度を計測する装置である。計測された周囲温度は温度検出装置１１４に送信され、更に温度検出装置１１４から制御装置１０１に送信される。
【００２６】
コンベア１３３はインクジェット記録装置１００が印字する被印字物１３４を所定の速度で搬送する装置であり、その搬送方向は前記インク粒子１２２の偏向方向と直交する方向となる。
【００２７】
被印字物センサ１３２は前記コンベア１３３で搬送される被印字物１３４を検知する装置であり、被印字物１３４を検知すると、被印字物検知装置１０７に被印字物検知信号を送信する。
【００２８】
被印字物検知装置１０７は、被印字物センサ１３２から送信された被印字物検知信号を制御装置１０１に送信する装置である。制御装置１０１は被印字物検知信号を受信すると、被印字物１３４がインクジェット記録装置１００の印字領域に到着したことを検知する。制御装置１０１は被印字物１３４が印字領域に到達したことを検知すると、被印字物１３４への印字を行うための処理を開始する。
次に、インクジェット記録装置１００が行う最適帯電位相の検出方法について図１〜図３を用いて説明する。
【００２９】
図２に、インク粒子に対して帯電電圧を印加するタイミングと印字文字の印字品質の関係を示す。
【００３０】
インクジェット記録装置１００は、ノズル１２０から噴出されるインク１１７を一定の粒子化周期でインク粒子１２２にした後、印字する文字情報に対応した帯電電圧を印加することにより、インク粒子１２２を帯電させ、帯電量に応じてインク粒子１２２を偏向することで印字を行う。この際、インク粒子１２２の偏向量は、インク粒子１２２の帯電量によって決まることから、インク粒子１２２に対して帯電電圧を印加するタイミングがずれると意図した偏向が行われず、結果として印字品質が劣化することとなる。
【００３１】
図２（ａ）はインク粒子１２２に対して適正なタイミングで帯電電圧を印加した場合を示しており、印字文字の印字品質は良好となっている。図２（ｂ）はインク粒子１２２に対して帯電電圧が不足するタイミングで帯電電圧を印加した場合を示しており、印字文字の印字品質は縦方向につぶれている。
【００３２】
一方、インクジェット記録装置１００は、ノズル１２０よりインク粒子１２２の噴出を開始すると被印字物１３４に印字を行っていない時もインク粒子１２２の噴出を継続しており、この際、印字に使用されないインク粒子１２２はインク回収口１２５から回収している。インクジェット記録装置１００は、この印字が行われていない期間に噴出されるインク粒子１２２を用いて帯電電圧を印加する最適タイミングの検出を行う。
【００３３】
インクジェット記録装置１００は非印字期間に、ノズル１２０から噴出される印字に使用しないインク粒子１２２に対して、帯電電極１２３の間を通過する際に最適帯電位相を検出するための帯電電圧を印加する。最適帯電位相を検出するための帯電電圧は、偏向電極１２４の間を通過する際のインク粒子１２２の偏向量がインク回収口１２５を飛び越えない程度となるような微小な電荷を帯電させる信号である。最適帯電位相を検出するための帯電電圧で帯電されたインク粒子１２２は偏向電極１２４の間を通過してもインク回収口１２５を飛び越えるほど偏向せず、インク回収口１２５に回収される。
【００３４】
更にインクジェット記録装置１００は印字に使用しないインク粒子１２２に対して、インク粒子１２２の粒子化周期の１／Ｎ相づつタイミングをずらしながら、最適帯電位相を検出するための帯電電圧を印加する（Ｎは整数）。
【００３５】
インク回収口１２５には回収したインク粒子１２２の帯電電圧を検出するための位相センサ１２８が取り付けられている。位相センサ１２８で検出した帯電電圧は、インク粒子１２２に対して適正なタイミングで帯電電圧を印加した場合（位相のタイミングが合っている場合）には大きくなり、インク粒子１２２に対して適正でないタイミングで帯電電圧を印加した場合（位相のタイミングが合っていない場合）には小さくなる。
【００３６】
位相センサ１２８は検出した帯電電圧を位相判定装置１０８に送信する。位相判定装置１０８は送信された帯電電圧をあらかじめ決められた閾値電圧と比較してその大小を判定し、その判定結果に基づいて最適帯電位相を検出する。位相判定装置１０８は検出した最適帯電位相を制御装置１０１に送信する。
【００３７】
図３に、位相センサ１２８で検出した帯電電圧の波形と位相判定装置１０８で検出した最適帯電位相の関係を示す。図３では、インク粒子１２２に対して、インク粒子１２２の粒子化周期の１／１０相づつタイミングをずらしながら帯電電圧を印加し、その際の帯電電圧波形を検出している。また位相判定装置１０８では検出した帯電電圧を位相０相から順にあらかじめ決められた閾値電圧と比較し、検出した帯電電圧が初めて閾値電圧を超える位相を検出することにより、最適帯電位相を検出する。図３では、検出した帯電電圧が初めて閾値電圧を超える位相の２位相先の位相を最適帯電位相と判定している。インクジェット記録装置１００は、ここで検出した最適帯電位相で印字用帯電電圧を発生することにより、印字文字の印字品質を良好に保っている。
【００３８】
次に、インクジェット記録装置１００の使用者がインクジェット記録装置１００で最適帯電位相検出を設定する方法について図１、図４を用いて説明する。
【００３９】
図４に、インクジェット記録装置の使用者が最適帯電位相検出の設定を行うための環境設定画面の例を示す。
【００４０】
インクジェット記録装置１００の使用者はインクジェット記録装置１００を操作し、表示装置１０４に図４に示す環境設定画面４００を表示する。使用者は表示装置１０４に表示された環境設定画面４００から、最適帯電位相検出処理を実施するかどうかを「０：無効」「１：有効」により選択する。インクジェット記録装置１００は、制御装置１０１の内部に最適帯電位相検出処理の実施の有無に関する情報を保持する最適帯電位相検出実施メモリ１０１ａを備えており、非印字期間に最適帯電位相検出処理を実施するかどうかの情報を保持している。
【００４１】
使用者が環境設定画面４００から、最適帯電位相検出処理を実施しないことを選択すると、制御装置１０１は最適帯電電圧検出処理を実施しない情報を最適帯電電圧検出実施メモリ１０１ａに登録する。更に制御装置１０１は、インク噴出圧力や周囲温度が変化した場合に帯電位相が最適帯電位相からずれることによる印字品質の乱れが発生する可能性のあることを、表示装置１０４に表示する。
【００４２】
制御装置１０１は最適帯電位相検出実施メモリ１０１ａの情報を参照して、非印字期間に最適帯電位相検出処理を実施するかどうかを判定する。
【００４３】
本環境設定画面では、使用者が直接最適帯電位相検出処理を実施するかどうかを選択しているが、最適帯電位相検出処理を実施できないほどの高頻度印字が設定された場合に、自動的に最適帯電位相検出処理を実施しない設定となるようにし、インク噴出圧力や周囲温度が変化した場合に帯電位相が最適帯電位相からずれることによる印字品質の乱れが発生する可能性のあることを、表示装置１０４に表示しても良い。
【００４４】
次に、インクジェット記録装置１００の使用者が最適帯電位相検出処理を実施しないことを選択した場合のインクジェット記録装置１００の動作について図１を用いて説明する。
インクジェット記録装置１００の使用者が最適帯電位相検出処理を実施しないことを選択した場合、制御装置１０１は印字を開始する前に現在のインク圧力、周囲温度での最適帯電位相を検出する。
【００４５】
使用者がインクジェット記録装置１００を操作してインク噴出を開始すると制御装置１０１は、インク粒子１２２に対して、インク粒子１２２の粒子化周期の１／Ｎ相づつタイミングをずらしながら、最適位相を検出するための帯電電圧を印加し、位相センサ１２８でその帯電位相を検出し、検出した帯電電圧を位相判定装置１０８であらかじめ決められた閾値電圧と比較して、その大小を判定し、判定結果に基づいて最適帯電位相を検出する。
検出された最適帯電位相は制御装置１０１の内部の最適帯電位相メモリ１０１ｂに保存される。またこの最適帯電位相を検出した時のインク圧力、周囲温度は初期インク圧力メモリ１０１ｃ、初期周囲温度メモリ１０１ｄに保存される。
【００４６】
使用者がコンベア１３３の動作を開始し、インクジェット記録装置１００に被印字物センサ１３２から被印字物検知信号が送信されると、インクジェット記録装置１００は最適帯電位相メモリ１０１ｂに保存された最適帯電位相でインク粒子１２２を帯電させることにより印字を行う。
【００４７】
一方圧力センサ１３０、温度センサ１３１はインク噴出圧力、周囲温度を常時監視し、測定結果を制御装置１０１に送信する。制御装置１０１は内部にインク圧力メモリ１０１ｅ、周囲温度メモリ１０１ｆを備えており、送信されたインク噴出圧力、周囲温度を保存する。
【００４８】
制御装置１０１は初期インク圧力メモリ１０１ｃとインク圧力メモリ１０１ｅに保存されたインク噴出圧力および初期周囲温度メモリ１０１ｄと周囲温度メモリ１０１ｆに保存された周囲温度を定期的に比較し、インク噴出圧力、周囲温度が初期インク圧力、初期周囲温度から変化した場合に帯電位相が最適帯電位相からずれることによる印字品質の乱れが発生する可能性があることを表示装置１０４に表示することにより、使用者に通知する。
【００４９】
また使用者が最適帯電位相検出処理を実施しないことを選択した場合であっても、非印字期間に最適帯電位相検出処理を実施することができる場合、最適帯電位相検出処理を実施して、検出した最適帯電位相でインク粒子１２２を帯電させることにより印字を行ってもよい。
【００５０】
次に、インクジェット記録装置１００の印字中に、インクジェット記録装置１００の使用者が最適帯電位相の再検出を実施することを選択した場合のインクジェット記録装置１００の動作について図１、図４を用いて説明する。
【００５１】
インクジェット記録装置１００の使用者は、表示装置１０４に表示された印字品質の乱れが発生する可能性があることを示す表示を見て、最適帯電位相の再検出を実施することを選択する場合、インクジェット記録装置１００を操作し、表示装置１０４に図４に示す環境設定画面４００を表示し、環境設定画面４００から「再検出」を選択することにより最適帯電位相の再検出を実施する。更に使用者はコンベア１３３の動作を一度停止し、被印字物１３４への印字を停止する。
【００５２】
最適帯電位相の再検出が選択されると、インクジェット記録装置１００は最適帯電位相検出実施メモリ１０１ａに非印字期間に最適帯電位相検出処理を実施する情報を書き込む。制御装置１０１は最適帯電位相検出実施メモリ１０１ａの情報を参照して、現在のインク圧力、周囲温度での最適帯電位相を検出する。制御装置１０１はインク粒子１２２に対して、インク粒子１２２の粒子化周期の１／Ｎ相づつタイミングをずらしながら、最適位相を検出するための帯電電圧を印加し、位相センサ１２８でその帯電位相を検出し、検出した帯電電圧を位相判定装置１０８であらかじめ決められた閾値電圧と比較して、その大小を判定し、判定結果に基づいて最適帯電位相を検出する。
【００５３】
検出された最適帯電位相は制御装置１０１の内部の最適帯電位相メモリ１０１ｂに保存される。またこの最適帯電位相を検出した時のインク圧力、周囲温度は初期インク圧力メモリ１０１ｃ、初期周囲温度メモリ１０１ｄに保存される。
【００５４】
最適帯電位相が再検出されると、制御装置１０１は最適帯電位相検出の処理を停止し、表示装置１０４に最適帯電位相の再検出が終了したことを表示する。また同時に制御装置１０１は再度インク噴出圧力や周囲温度が変化した場合に帯電位相が最適帯電位相からずれることによる印字品質の乱れが発生する可能性のあることを、表示装置１０４に表示する。
【００５５】
更にインクジェット印字措置１００は最適帯電位相検出実施メモリ１０１ａに非印字期間に最適帯電位相検出処理を実施しない情報を書き込む。
使用者がコンベア１３３の動作を開始し、インクジェット記録装置１００に被印字物センサ１３２から被印字物検知信号が送信されると、インクジェット記録装置１００は最適帯電位相メモリ１０１ｂに保存された最適帯電位相でインク粒子１２２を帯電させることにより印字を行う。
【００５６】
次にフローチャートを用いて本発明におけるインクジェット記録装置１００の動作例を説明する。
【００５７】
まず図５に示したフローチャートにより、インクジェット記録装置１００の使用者が最適帯電位相検出処理を実施することを選択した時の動作例を説明する。
インクジェット記録装置１００の使用者が表示装置１０４に表示された環境設定画面４００から最適帯電位相検出処理を実施することを選択すると本処理は開始する（ステップＳ５０１）。
【００５８】
最適帯電位相検出処理を実施することが選択されると、インクジェット記録装置１００は最適帯電位相検出実施メモリ１０１ａに非印字期間に最適帯電位相検出処理を実施する情報を登録する（ステップＳ５０２）。
使用者がインクジェット記録装置１００のインク噴出を開始（ステップＳ５０３）すると、インクジェット記録装置１００は最適帯電位相検出処理を実施し、検出した最適帯電位相を最適帯電位相メモリ１０１ｂに保存する（ステップＳ５０４）。
【００５９】
使用者がコンベア１３３の動作を開始（ステップＳ５０５）し、インクジェット記録装置１００に被印字物センサ１３２から被印字物検知信号が送信されるとインクジェット記録装置１００は最適帯電位相メモリ１０１ｂに保存された最適帯電位相でインク粒子１２２を帯電させることにより印字を行う（ステップＳ５０６）。
【００６０】
ここで使用者が印字を終了することを選択するとインクジェット記録装置１００の動作はステップＳ５１１に移行し、本処理は終了となる（ステップＳ５０７）。印字を終了しない場合、処理はステップＳ５０８に移行する。
インクジェット記録装置１００は印字と印字の間の非印字期間に最適帯電位相検出処理を実施（ステップＳ５０８）し、検出した最適帯電位相を最適帯電位相メモリ１０１ｂに保存された最適帯電位相と比較する（ステップＳ５０９）。
【００６１】
検出した最適帯電位相と最適帯電位相メモリ１０１ｂに保存された最適帯電位相が同じである場合、インクジェット記録装置１００の動作はステップＳ５０６に移行し、最適帯電位相メモリ１０１ｂに保存された最適帯電位相で印字を継続する。
検出した最適帯電位相と最適帯電位相メモリ１０１ｂに保存された最適帯電位相が異なる場合、インクジェット記録装置１００は検出した最適帯電位相を最適帯電位相メモリ１０１ｂに保存（ステップＳ５１０）した後、ステップＳ５０６に移行し、最適帯電位相メモリ１０１ｂに保存された最適帯電位相（検出した最適帯電位相）で印字を行う。
【００６２】
次に図６に示したフローチャートにより、インクジェット記録装置１００の使用者が最適帯電位相検出処理を実施しないことを選択した時の動作例を説明する。
【００６３】
インクジェット記録装置１００の使用者が表示装置１０４に表示された環境設定画面４００から最適帯電位相検出処理を実施しないことを選択すると本処理は開始する（ステップＳ６０１）。
【００６４】
最適帯電位相検出処理を実施しないことが選択されると、インクジェット記録装置１００は最適帯電位相検出実施メモリ１０１ａに非印字期間に最適帯電位相検出処理を実施しない情報を登録する（ステップＳ６０２）。更にインクジェット記録装置１００はインク噴出圧力や周囲温度が変化した場合に帯電位相が最適帯電位相からずれることによる印字品質の乱れが発生する可能性のあることを表示装置１０４に表示する（ステップＳ６０３）。
【００６５】
使用者がインクジェット記録装置１００のインク噴出を開始（ステップＳ６０４）すると、インクジェット記録装置１００は、現在のインク圧力、周囲温度での最適帯電位相検出処理を実施し、検出した最適帯電位相を最適帯電位相メモリ１０１ｂに保存する。またこの最適帯電位相を検出した時のインク圧力、周囲温度を初期インク圧力メモリ１０１ｃ、初期周囲温度メモリ１０１ｄに保存する（ステップＳ６０５）。
使用者がコンベア１３３の動作を開始する（ステップＳ６０６）。
【００６６】
次いで、インク噴出圧力、周囲温度の計測を行うか否かについて判断する（ステップＳ６０７）。ここでインクジェット記録装置１００がインク噴出圧力、周囲温度の計測を行わない場合、インクジェット記録装置１００の動作はステップＳ６１５に移行し、以降もステップＳ６０５で検出した最適帯電位相で印字を行う。この場合、インクジェット記録装置１００は、インク噴出圧力、周囲温度が変化した場合も、帯電位相が最適帯電位相からずれることによる印字品質の乱れが発生する可能性があることを表示しない。
【００６７】
ステップＳ６０７においてインクジェット記録装置１００がインク噴出圧力、周囲温度の計測を行う場合、インクジェット記録装置の動作はステップＳ６０８に移行する。インクジェット記録装置１００は被印字物センサ１３２から被印字物検知信号が送信されると最適帯電位相メモリ１０１ｂに保存された最適帯電位相でインク粒子１２２を帯電させることにより印字を行う（ステップＳ６０８）。
【００６８】
ここで使用者が印字を終了することを選択するとインクジェット記録装置１００の動作はステップＳ６１６に移行し、本処理は終了となる（ステップＳ６０９）。印字を終了しない場合、処理はステップＳ６１０に移行する。
【００６９】
インクジェット記録装置１００は印字中、インク噴出圧力、周囲温度を監視し、計測結果をインク圧力メモリ１０１ｅ、周囲温度メモリ１０１ｆに保存し、定期的に初期インク圧力メモリ１０１ｃ、初期周囲温度メモリ１０１ｄに保存した値と比較する（ステップＳ６１０）。インクジェット記録装置１００がインク噴出圧力、周囲温度の比較を行わない場合、インクジェット記録装置１００の動作はステップＳ６０８に移行し、印字を継続する。インクジェット記録装置１００がインク噴出圧力、周囲温度の比較を行う場合、インクジェット記録装置１００の動作はステップＳ６１１に移行する（ステップＳ６１０）。
【００７０】
インクジェット記録装置１００がインク噴出圧力、周囲温度の比較を行った結果、初期インク圧力、初期周囲温度から変化がない場合、インクジェット記録装置１００の動作はステップＳ６０８に移行し、印字を継続する。インクジェット記録装置１００がインク噴出圧力、周囲温度の比較を行った結果、初期インク圧力、初期周囲温度から変化がある場合、インクジェット記録装置１００の動作はステップＳ６１２に移行する（ステップＳ６１１）。
【００７１】
インク噴出圧力、周囲温度の変化がある場合、インクジェット記録装置１００は表示装置１０４に帯電位相が最適帯電位相からずれることによる印字品質の乱れが発生する可能性があることを表示し、ステップＳ６１３に移行する（ステップＳ６１２）。最適帯電位相の再検出を実施する場合、使用者は表示装置１０４に環境設定画面４００を表示し、最適帯電位相の再検出を実施する（ステップＳ６１３）。
【００７２】
更に使用者がコンベア１３３の動作を停止し、インクジェット記録装置１００の印字動作を停止する（ステップＳ６１４）と、インクジェット記録装置１００の動作はステップＳ６０５に移行し、再度最適帯電位相を検出する。
【００７３】
ステップＳ６１３において最適帯電位相の再検出を実施しない場合、インクジェットプリンタ１００の動作はステップＳ６０８に移行し、以降もステップＳ６０５で検出した最適帯電位相で印字を行う。
【００７４】
本実施例で示したように、インクジェット記録装置１００の使用者がインク粒子１２２への最適帯電位相検出処理を実施しないことを選択した場合は、インクジェット記録装置１００の非印字期間を短縮することができ、最適帯電位相検出処理を実施する場合と比べてより高速な印字動作を実施することが可能となり、更にインク噴出圧力や周囲温度が変化して帯電位相が最適帯電位相からずれることによる印字品質の乱れが発生する可能性のある場合には使用者に印字品質の乱れが発生する可能性のあることを通知し、最適帯電位相の再検出を促すことにより、印字対象物への印字品質の乱れが発生することを防ぐことが可能となる。
【００７５】
以上、本発明におけるインクジェット記録装置の構成例、動作例を示したが、本実施例は本発明を限定するものではなく本発明の主旨を変えない限り、上記記載内容に限定されるものではない。
【符号の説明】
【００７６】
１００・・・インクジェット記録装置、１０１・・・制御装置、１０１ａ・・・最適帯電位相検出実施メモリ、１０１ｂ・・・最適帯電位相メモリ、１０１ｃ・・・初期インク圧力メモリ、１０１ｄ・・・初期周囲温度メモリ、１０１ｅ・・・インク圧力メモリ、１０１ｆ・・・周囲温度メモリ、１０２・・・プログラム格納装置、１０３・・・メモリ、１０４・・・表示装置、１０５・・・タッチパネル、１０６・・・入力装置、１０７・・・被印字物検知装置、１０８・・・位相判定装置
１０９・・・偏向電圧発生装置、１１０・・・印字用帯電電圧発生装置、１１１・・・位相検出用帯電電圧発生装置、１１２・・・励振電圧発生装置、１１３・・・圧力検出装置、１１４・・・温度検出装置、１１５・・・電源ボタン、１１６・・・インクタンク、１１７・・・インク、１１８・・・供給ポンプ、１１９・・・インク供給用配管、１２０・・・ノズル、１２１・・・圧電素子
１２２・・・インク粒子、１２３・・・帯電電極、１２４・・・偏向電極、１２５・・・インク回収口
１２６・・・回収ポンプ、１２７・・・インク回収用配管、１２８・・・位相センサ、１２９・・・減圧弁、１３０・・・圧力センサ、１３１・・・温度センサ、１３２・・・被印字物センサ、１３３・・・コンベア、１３４・・・被印字物、４００・・・環境設定画面
【図１】
2011046139.tif 000003
【図２】
2011046139.tif 000004
【図３】
2011046139.tif 000005
【図４】
2011046139.tif 000006
【図５】
2011046139.tif 000007
【図６】
2011046139.tif 000008